(57)【要約】【課題】放電時の、バスライン部での消費電力を低下させ、且つ、光の利用効率を向上させることで、高発光効率のプラズマディスプレイパネルを提供する。【解決手段】第一バスライン部４ａと、第一バスライン部４ａから第二電極５に向けて突出した第一突出部４ｃと、第一突出部４ｃの先端から第一バスライン部４ａの延伸方向に突出した第一放電電極部４ｄとを有する第一電極４と、第二バスライン部５ａから第一電極４に向けて突出した第二突出部５ｃと、第二突出部５ｃの先端から第二バスライン部５ａの延伸方向に突出した第二放電電極部５ｄとを有する第二電極５とにより表示電極６を構成し、第一バスライン部４ａ、第二放電電極部５ｄ、第一放電電極部４ｄ、第二バスライン部５ａの順に並べて配設することで、放電領域を第一放電電極部４ｄと第二放電電極部５ｄとの間に限定する。【選択図】  図１
2004273202.tif 000002
【特許請求の範囲】
【請求項１】
第一電極と第二電極とからなる表示電極を複数有する前面板と、表示電極と直交するアドレス電極を複数有する背面板とを、隔壁を挟んで対向配置し、表示電極とアドレス電極とが交差する部分に放電セルを形成したプラズマディスプレイパネルにおいて、第一電極は、第一バスライン部と、第一バスライン部から第二電極に向けて突出した第一突出部と、第一突出部の先端から第一バスライン部の延伸方向に突出した第一放電電極部とを有し、第二電極は、第一バスライン部と平行の第二バスライン部と、第二バスライン部から第一電極に向けて突出した第二突出部と、第二突出部の先端から第二バスライン部の延伸方向に突出した第二放電電極部とを有し、放電セル内において、第一バスライン部と、第二放電電極部と、第一放電電極部と、第二バスライン部とが、この順に並んで配設されていることを特徴とするプラズマディスプレイパネル。
【請求項２】
第一放電電極部と第二放電電極部との間隔が、第一バスライン部と第二放電電極部との間隔、および第一放電電極部と第二バスライン部との間隔より狭く構成したことを特徴とする請求項１に記載のプラズマディスプレイパネル。
【請求項３】
第一バスライン部および／または第二バスライン部は、金属材料からなる層を備えることを特徴とする請求項１または２に記載のプラズマディスプレイパネル。
【請求項４】
第一突出部および／または第二突出部は、隔壁と重なる位置に配設したことを特徴とする請求項１に記載のプラズマディスプレイパネル。
【請求項５】
第一突出部および／または第二突出部は、金属材料からなる層を備えることを特徴とする請求項４に記載のプラズマディスプレイパネル。
【発明の詳細な説明】
【０００１】
【発明の属する技術分野】
本発明は、表示デバイスとして知られているプラズマディスプレイパネルに関するものである。
【０００２】
【従来の技術】
ＰＤＰは、ガス放電により紫外線を発生させ、この紫外線で蛍光体を励起して発光させることにより画像表示を行っている。
【０００３】
ＰＤＰには、大別して、駆動的にはＡＣ型とＤＣ型とがあり、放電形式では面放電型と対向放電型とがあるが、高精細化、大画面化および構造の簡素性に伴う製造の簡便性から、現状では、３電極構造の面放電型のＰＤＰが主流である。
【０００４】
その構造の一例について説明する。図６は、従来のＰＤＰの概略構成の一例を示す断面斜視図である。
【０００５】
ＰＤＰ１の前面板２は、前面側の、例えばガラスのような透明且つ絶縁性の基板３の一主面上に形成した、第一電極４と第二電極５とからなる表示電極６と、その表示電極６を覆う誘電体層７と、さらにその誘電体層７を覆う、例えばＭｇＯによる保護層８とを有する構造である。第一電極４と第二電極５とは、一方がいわゆる走査電極として機能し、他方がいわゆる維持電極として機能するものである。そして、電気抵抗の低減と可視光の透過性の両立を目的として、例えばＡｇのような金属材料からなる第一バスライン部４ａ、第二バスライン部５ａと、第一透明電極部４ｂ、第二透明電極部５ｂとを積層した構造としている。また、第一電極４と第二電極５との間隔である主放電ギャップＭＧは、低電圧で放電できるように決定される。それに対し、隣接する表示電極６間の間隔である隣接間ギャップＩＰＧは、隣り合う放電セル１６間の誤放電が起きないように、主放電ギャップＭＧよりも十分広くなるように決定される。
【０００６】
また背面板９は、背面側の、例えばガラスのような絶縁性の基板１０の一主面上に形成したアドレス電極１１と、そのアドレス電極１１を覆う誘電体層１２と、誘電体層１２上の、隣り合うアドレス電極１１の間に相当する場所に位置する隔壁１３と、隔壁１３間の蛍光体層１４Ｒ、１４Ｇ、１４Ｂとを有する構造である。
【０００７】
そして、前面板２と背面板９とは、隔壁１３を挟んで、表示電極６とアドレス電極１１とが直交するように対向し、画像表示領域の外の周囲を封着部材により封止した構成であり、前面基板２と背面基板９との間に形成された放電空間１５には、例えばＮｅ−Ｘｅ５％の放電ガスを６６．５ｋＰａ（５００Ｔｏｒｒ）の圧力で封入している。そして、放電空間１５の表示電極６とアドレス電極１１との交差部が放電セル１６（単位発光領域）として動作する。
【０００８】
次に、発光の原理について説明する。第一電極４と第二電極５との間で放電が発生すると、紫外線が生じ、この紫外線によって蛍光体層１４Ｒ、１４Ｇ、１４Ｂが励起され可視光線が発生する。発生した可視光線は、前面板２の基板３を通して表示方向に外部へ取り出される。
【０００９】
また、放電について説明する。図７に、表示電極６の概略構成の部分平面図を示す。放電が発生する際の表示電極６の電圧の極性の、ある瞬間での状態は、図７中の「＋」「−」で示すようなものであり、放電の維持の際には、この電極の極性が周期的に入れ替わる。表示電極６に印加される電圧の極性が上述のようであると、先ず最初に放電が発生する、第一電極４と第二電極５との間の主放電ギャップＭＧ間の電位勾配と、その外側の第一バスライン部４ａと第二バスライン部５ａ間の電位勾配は同じ向きとなる。つまり、主放電ギャップＭＧで発生した放電の、発生の際の進行方向と、その外側の電位勾配とが同じ向きとなる。しかも、主放電ギャップＭＧから第一バスライン部４ａおよび第二バスライン部５ａまでの領域は、第一透明電極部４ｂおよび第二透明電極部５ｂにより導電性となっている。以上のことから、主放電ギャップＭＧで発生した放電の領域は、バスライン部４ａ、５ａに向かって拡がりやすい状態である。
【００１０】
以上説明したように、ＰＤＰ１においては、第一電極４および第二電極５は、放電を発生させる機能の他に、放電のための電流を供給する機能と、蛍光体層１４Ｒ、１４Ｇ、１４Ｂで発生した可視光線を表示方向の外部へ通過させるという機能が求められる。
【００１１】
そこで、電流を供給するために必要な条件である低抵抗と、可視光線を効率良く表示方向の外部へ通過させるのに必要な条件である高透過率の両方を十分に満たすために、第一電極４および第二電極５の構成として、可視光透過性はないが低抵抗であるバスライン部４ａおよび５ａと、比較的高抵抗ではあるが可視光透過率の高い透明電極部４ｂおよび５ｂとを積層した構造としている。すなわち、バスライン部４ａおよび５ａは、放電用の電極としての機能と、放電のための電流を供給する電極としての機能とを担い、透明電極部４ｂおよび５ｂは、放電用の電極としての機能と、可視光線を表示方向の外部に通過させる機能とを担うものである（例えば、非特許文献１参照）。
【００１２】
【非特許文献１】
２００１ＦＰＤテクノロジー大全、株式会社電子ジャーナル、２０００年１０月２５日、ｐ５８９−ｐ５９３
【００１３】
【発明が解決しようとする課題】
上述した従来のＰＤＰにおいては、バスライン部４ａ、５ａは、放電の拡がりによって電力を消費することになるにもかかわらず、蛍光体層１４Ｒ、１４Ｇ、１４Ｂからの可視光を透過せず遮光してしまうため、光の取り出し効率を低下させていた。そのため、投入電力に対する輝度の割合、すなわち発光効率を低下させる原因となっていた。
【００１４】
本発明は上記課題を解決するためになされたものであり、バスライン部によって消費される放電電力を低下させ、且つ、光の利用効率を向上させることによって、高発光効率のプラズマディスプレイパネルを提供することを目的とする。
【００１５】
【課題を解決するための手段】
この目的を達成するために本発明のプラズマディスプレイパネルは、第一電極と第二電極とからなる表示電極を複数有する前面板と、表示電極と直交するアドレス電極を複数有する背面板とを、隔壁を挟んで対向配置し、表示電極とアドレス電極とが交差する部分に放電セルを形成したプラズマディスプレイパネルにおいて、第一電極は、第一バスライン部と、第一バスライン部から第二電極に向けて突出した第一突出部と、第一突出部の先端から第一バスライン部の延伸方向に突出した第一放電電極部とを有し、第二電極は、第一バスライン部と平行の第二バスライン部と、第二バスライン部から第一電極に向けて突出した第二突出部と、第二突出部の先端から第二バスライン部の延伸方向に突出した第二放電電極部とを有し、放電セル内において、第一バスライン部と、第二放電電極部と、第一放電電極部と、第二バスライン部とが、この順に並んで配設されていることを特徴とするものである。
【００１６】
【発明の実施の形態】
すなわち、本発明の請求項１に記載の発明は、第一電極と第二電極とからなる表示電極を複数有する前面板と、表示電極と直交するアドレス電極を複数有する背面板とを、隔壁を挟んで対向配置し、表示電極とアドレス電極とが交差する部分に放電セルを形成したプラズマディスプレイパネルにおいて、第一電極は、第一バスライン部と、第一バスライン部から第二電極に向けて突出した第一突出部と、第一突出部の先端から第一バスライン部の延伸方向に突出した第一放電電極部とを有し、第二電極は、第一バスライン部と平行の第二バスライン部と、第二バスライン部から第一電極に向けて突出した第二突出部と、第二突出部の先端から第二バスライン部の延伸方向に突出した第二放電電極部とを有し、放電セル内において、第一バスライン部と、第二放電電極部と、第一放電電極部と、第二バスライン部とが、この順に並んで配設されていることを特徴とするプラズマディスプレイパネルである。
【００１７】
また、請求項２に記載の発明は、請求項１に記載の発明において、第一放電電極部と第二放電電極部との間隔が、第一バスライン部と第二放電電極部との間隔、および第一放電電極部と第二バスライン部との間隔より狭く構成したことを特徴とするものである。
【００１８】
また、請求項３に記載の発明は、請求項１または２に記載の発明において、第一バスライン部および／または第二バスライン部は、金属材料からなる層を備えることを特徴とするものである。
【００１９】
また、請求項４に記載の発明は、請求項１に記載の発明において、第一突出部および／または第二突出部は、隔壁と重なる位置に配設したことを特徴とするものである。
【００２０】
また、請求項５に記載の発明は、請求項４に記載の発明において、第一突出部および／または第二突出部は、金属材料からなる層を備えることを特徴とするものである。
【００２１】
以下、本発明の一実施の形態によるプラズマディスプレイパネルについて、図１〜図５の図面を用いて説明する。なお、図１〜図５において、図６、図７に示す部分と同一部分については同一番号を付して説明は省略する。
【００２２】
図１は本発明の一実施の形態によるプラズマディスプレイパネルの概略構成の一例を示す断面斜視図である。
【００２３】
ＰＤＰ１の前面板２は、画像表示面側の、例えばガラスのような透明且つ絶縁性の基板３の一主面上に形成した、第一電極４と第二電極５とからなる表示電極６と、その表示電極６を覆う誘電体層７と、さらにその誘電体層７を覆う、例えばＭｇＯによる保護層８とを有する構造である。ここで、第一電極４と第二電極５とは、一方がいわゆる走査電極として機能し、他方がいわゆる維持電極として機能するものである。
【００２４】
また背面板９は、背面側の、例えばガラスのような絶縁性の基板１０の一主面上に形成したアドレス電極１１と、そのアドレス電極１１を覆う誘電体層１２と、誘電体層１２上の、隣り合うアドレス電極１１の間に相当する場所に位置する隔壁１３と、隔壁１３間の蛍光体層１４Ｒ、１４Ｇ、１４Ｂとを有する構造である。
【００２５】
そして、前面基板２と背面基板９とは、隔壁１３を挟んで、表示電極６とアドレス電極１１とが直交するように対向し、画像表示領域の外の周囲を封着部材により封止した構成であり、前面基板２と背面基板９との間に形成された放電空間１５には、例えばＮｅ−Ｘｅ５％の放電ガスを６６．５ｋＰａ（５００Ｔｏｒｒ）の圧力で封入している。そして、放電空間１５の表示電極６とアドレス電極１１との交差部が放電セル１６（単位発光領域）として動作する。
【００２６】
ここで、第一電極４と第二電極５との概略構成の部分平面図を図２に示す。図２においては、隔壁１３の位置を一点鎖線で示す。図２に示すように、第一電極４は、第一バスライン部４ａと、第一バスライン部４ａから第二電極５に向けて突出した第一突出部４ｃと、第一突出部４ｃの先端から第一バスライン部４ａの延伸方向に突出した第一放電電極部４ｄとを有し、第二電極５は、第一バスライン部４ａと平行の第二バスライン部５ａと、第二バスライン部５ａから第一電極４に向けて突出した第二突出部５ｃと、第二突出部５ｃの先端から第二バスライン部５ａの延伸方向に突出した第二放電電極部５ｄとを有する。そして図２に示すように、放電セル１６内においては、第一バスライン部４ａと、第二放電電極部５ｄと、第一放電電極部４ｄと、第二バスライン部５ａとは、この順に並んで配設した状態となっており、第一放電電極部４ｄと第二放電電極部５ｄとの間が主放電ギャップＭＧとして作用する。これは、第一放電電極部と第二放電電極部との間隔である主放電ギャップＭＧを、第一バスライン部と第二放電電極部との間隔、および第一放電電極部と第二バスライン部との間隔より狭く構成することで、より確実なものとすることができる。
【００２７】
なお、図２に示すように、第一突出部４ｃ、第一放電電極部４ｄ、第二突出部５ｃ、第二放電電極部５ｄとは、厳密な境界によって区切られるものではない。
【００２８】
以上説明した本実施の形態によれば、第一バスライン部４ａおよび第二バスライン部５ａは、主放電ギャップＭＧとは独立に、放電セル１６のでき得る限り周辺部に配することができ、且つ、第一放電電極部４ｄと第一バスライン部４ａ、および第二放電電極部５ｄと第二バスライン部５ａとの間は、それぞれ、第一突出部４ｃおよび第二突出部５ｃのみで結合した構成であることから、放電セル１６において、第一電極４および第二電極５の存在によって遮蔽される光の割合は、従来の構成のＰＤＰの場合に比べ、小さくすることができ、可視光の利用効率を向上させることができる。
【００２９】
また、上述の構成によれば、第一放電電極部４ｄと第二放電電極部５ｄとの間の主放電ギャップＭＧから、第一バスライン部４ａおよび第二バスライン部５ａまでの領域は、第一突出部４ｃおよび第二突出部５ｃの部分を除き、その大部分が電気的に絶縁状態であり、このことから、主放電ギャップＭＧで発生した放電の領域は、電極構成の物理的な面からも、第一バスライン部４ａおよび第二バスライン部５ａにまで達することなく、主放電ギャップＭＧに限定されることとなる。
【００３０】
さらに、図３に、表示電極６の概略構成の部分平面図において、放電が発生する際の表示電極６の電圧の極性の、ある瞬間での状態を「＋」「−」で示す。放電の維持の際には、この電極の極性が周期的に入れ替わる。表示電極６に印加される電圧の極性が上述のようであると、先ず最初に放電が発生する、第一放電電極部４ｄと第二放電電極部５ｄとの間の主放電ギャップＭＧでの電位勾配と、その外側の第一バスライン部４ａと第二バスライン部５ａとの間での電位勾配とは逆向きとなる。つまり、主放電ギャップＭＧで発生した放電の、発生の際の進行方向と、その外側の電位勾配とが逆向きとなる。このことから、主放電ギャップＭＧで発生した放電の領域は、電位分布的にも、第一放電電極部４ｄと第二放電電極部５ｄとの間の主放電ギャップＭＧに限定されることとなり、第一バスライン部４ａおよび第二バスライン部５ａにまで達することが非常に少なくなる。
【００３１】
以上のように、本実施の形態によれば、放電の領域は主放電ギャップＭＧに限定されることとなり、これにより、放電の際、第一バスライン部４ａおよび第二バスライン部５ａにおいて電力を消費することがなくなる。
【００３２】
以上においては、第一バスライン部４ａおよび第二バスライン部５ａは、金属材料からなる良導電性材料、第一突出部４ｃ、第一放電電極部４ｄ、および第二突出部５ｃ、第二放電電極部５ｄは、透過性の高い透明電極であることが好ましい。
【００３３】
また、第一電極４と第二電極５の形状を図４に示すようなものとすることで、第一突出部４ｃと第二突出部５ｃとを、隔壁１３と重なる位置に配設し、放電セル１６において放電空間１５に露出させないことにより、放電セル１６での、第一電極４および第二電極５の存在によって遮蔽される光の割合をさらに減少させることができる。この場合、第一突出部４ｃと第二突出部５ｃは、金属材料からなる良導電性材料で形成することが可能であり、都合がよい。
【００３４】
さらにこの構成の場合、第一突出部４ｃと第二突出部５ｃとは放電空間１５に露出していないことから、放電が、第一放電電極部４ｄから第一突出部４ｃを伝って、また、第二放電電極部５ｄから第二突出部５ｃを伝って拡がるということがなくなる。
【００３５】
なお、第一放電電極部４ｄ、第二放電電極部５ｄの形状としては、例えば図５に示すような、湾曲して変形したものであってもかまわない。
【００３６】
【発明の効果】
以上のように本発明のプラズマディスプレイによれば、放電の領域はバスライン部にまで拡がらないようになり、バスライン部によって消費される放電電力が低下し、且つ、光の利用効率が向上するので、高発光効率のプラズマディスプレイパネルが実現できる。
【図面の簡単な説明】
【図１】本発明の一実施の形態によるプラズマディスプレイパネルの概略構成の一例を示す断面斜視図
【図２】本発明の一実施の形態によるプラズマディスプレイパネルの、第一電極と第二電極との概略構成を示す部分平面図
【図３】本発明の一実施の形態によるプラズマディスプレイパネルの、第一バスライン部、第二放電電極部、第一放電電極部、第二バスライン部の、それぞれの電圧の極性を示す図
【図４】本発明の他の実施の形態によるプラズマディスプレイパネルの、第一電極と第二電極との概略構成を示す部分平面図
【図５】本発明の他の実施の形態によるプラズマディスプレイパネルの、第一電極と第二電極との概略構成を示す部分平面図
【図６】従来のプラズマディスプレイパネルの概略構成の一例を示す断面斜視図
【図７】従来のプラズマディスプレイパネルの、第一電極と第二電極との概略構成を示す部分平面図
【符号の説明】
１  プラズマディスプレイパネル
２  前面板
３  基板
４  第一電極
４ａ  第一バスライン部
４ｃ  第一突出部
４ｄ  第一放電電極部
５  第二電極
５ａ  第二バスライン部
５ｃ  第二突出部
５ｄ  第二放電電極部
６  表示電極
７  誘電体層
８  保護層
９  背面板
１０  基板
１１  アドレス電極
１２  誘電体層
１３  隔壁
１４Ｒ、１４Ｇ、１４Ｂ  蛍光体層
１５  放電空間
１６  放電セル
【図１】
2004273202.tif 000003
【図２】
2004273202.tif 000004
【図３】
2004273202.tif 000005
【図４】
2004273202.tif 000006
【図５】
2004273202.tif 000007
【図６】
2004273202.tif 000008
【図７】
2004273202.tif 000009